(57)【要約】【課題】  上下風向板を支持する支持具を備えると共に、支持具の基部周辺の変形を防止する空気調和機を提供する。【解決手段】  吹出口を有し熱交換器及び送風機を収納する本体ケースと、この本体ケースの前面に取り付けられる前面パネルと、回動軸４８を有しこの回動軸４８が前面パネル３に設けられた両側壁４５、４６に枢着される上下風向板４７とを備えた空気調和機において、前記前面パネル３に上下風向板４７の回動軸の中間部を把持する支持具５０を設け、本体ケースに前面パネル３の支持具５０の基部５１を支える台座を設けた。【選択図】      図７
2004219050.tif 000002
【特許請求の範囲】
【請求項１】
吹出口を有し熱交換器及び送風機を収納する本体ケースと、この本体ケースの前面に取り付けられる前面パネルと、回動軸を有しこの回動軸が前面パネルに設けられた両側壁に枢着される上下風向板とを備えた空気調和機において、
前記前面パネルに上下風向板の回動軸の中間部を把持する支持具を設け、本体ケースに前面パネルの支持具の基部を支える台座を設けたことを特徴とする空気調和機。
【請求項２】
前記支持具及び台座を複数設けたことを特徴とする請求項１に記載の空気調和機。
【発明の詳細な説明】
【技術分野】
【０００１】
本発明は、室内機の吹出口に設けられた上下風向板を備えた空気調和機に関する。
【背景技術】
【０００２】
一般に、室内の壁等に据え付けて使用される空気調和機の壁掛け型室内機は、プラスチック等を材料として形成された横長の本体ケースを有し、この本体ケースには前面に吸気用の開口部を有するとともに、これら開口部に沿って配置される熱交換器とケースの略中央部に配置される送風機とを収納し、この本体ケースの前面には吸込口を有する前面パネルが装着されている。
【０００３】
さらに、本体ケースの下端部には、空気調和された空気を室内に吹き出すための横長の吹出口が形成され、この吹出口には上下方向の風向きを設定する上下風向板が設けられている。この上下風向板はプラスチック等を材料として形成され、吹出口の左右にわたって設けられ、かつ、吹出口の左右両側壁に回動自在に設けられている。
【０００４】
ところで、前述した上下風向板は、吹出口の左右両側壁に軸支され、かつ横長であるため、上下風向板の中央部が自重で下方に撓んでしまうという問題があった。このため、上下風向板の中間部を支える支持具を設け、これにより上下風向板の撓みを防止するものがある（例えば、特許文献１参照。）。
【特許文献１】特開平８−６１７６２号公報
【発明の開示】
【発明が解決しようとする課題】
【０００５】
しかしながら、支持具の設置場所によっては、上下風向板と共に支持具の基部周辺も下方に撓んでしまうという問題があった。
【０００６】
本発明の目的は、上述した従来の問題点に鑑みてなされたものであり、上下風向板を支持する支持具を備えると共に、支持具の基部周辺の変形を防止する空気調和機を提供することにある。
【課題を解決するための手段】
【０００７】
上記目的を達成ために、請求項１に記載の発明は、吹出口を有し熱交換器及び送風機を収納する本体ケースと、この本体ケースの前面に取り付けられる前面パネルと、回動軸を有しこの回動軸が前面パネルに設けられた両側壁に枢着される上下風向板とを備えた空気調和機において、前記前面パネルに上下風向板の回動軸の中間部を把持する支持具を設け、本体ケースに前面パネルの支持具の基部を支える台座を設けたことを特徴とする。
【０００８】
請求項２に記載の発明は、請求項１に記載の空気調和機において、前記支持具及び台座を複数設けたことを特徴とする。
【発明の効果】
【０００９】
本発明の空気調和機は、空気の吹出口に上下風向板を備え、この上下風向板の回動軸の中間部を把持し、かつ上部を前面パネルに固定する支持具を設け、これら支持具の基部を本体に掛止しているので、支持具を支える前面パネルの下端部が下方に撓まなくなるとともに、上下風向板の中間部の撓みをなくすことができる。
【実施例】
【００１０】
以下、本発明の一実施例を添付した図面に基づいて説明する。
【００１１】
図１は本発明の一実施例における空気調和機の室内機の斜視図、図２は同じく側断面図である。図１、図２において、本壁掛け型室内機１０は、室内機本体１と、前面パネル３と、天面パネル４とを備えて構成されている。室内機本体１はフレーム５とグリル６とからなる本体ケース１Ａを有し、この本体ケース１Ａ内に、熱交換器７、クロスフローファン（送風機）９、ドレンパン１１、左右風向変更羽根１３、及び空気清浄器１９等を備えている。
【００１２】
図３はフレーム構成体を示す斜視図、図４はグリルを示す斜視図、図５は前面パネル及び天面パネルを示す斜視図、図６はグリルの凹部拡大図である。この室内機１０は、図３〜図５に示す構成体を、その順番に重ね合わせて構成されている。
【００１３】
図３に示すフレーム構成体２０は、フレーム５に対し、上述した熱交換器７、送風機、ドレンパン１１、及び左右風向変更羽根１３が支持され構成されており、このフレーム構成体２０の上に、図４に示すグリル６が重ね合わされ、室内機本体１が構成される。
【００１４】
図４において、前記グリル６は、後部の枠部２１と、左右の両側板２２、２３と、これら両側板２２、２３間を前面でつなぐ２本の横板２４、２５と、これら２本の横板２４、２５に交差し枠部２１の上部へつながる縦桟２６とからなり、これらが一体に成形されている。そして上面及び前面に開口部２７、２８が形成され、グリル６の下部には吹出口３０が形成されている。なお、これら横板２４、２５が縦桟２６に堅固に連結されているので、横板２４、２５の中間部が変形して下方に垂れ下がるようなことは殆どない。
【００１５】
前記吹出口３０の上部を形成する横板２５の略中央部には、表示部３１が形成され、この表示部３１の左右側方に凹部３２、３２が形成されている。これら凹部３２、３２は、図６に示すように、上壁３３、左右側壁３４、３５及び背壁３６を有し、左右側壁３４、３５の下端部には内側に突出するリブ３７ａ、３７ｂが設けられ、これらリブ３７ａ、３７ｂが後述する前面パネル３の突起片５２を支持する台座３８になっている。これら台座３８は、吹出口３０をほぼ３等分した２ヵ所の位置にそれぞれ設けられている。
【００１６】
図７は裏側から見た前面パネルの斜視図である。前面パネル３には、上部寄りに横長の長方形に吸込み格子が形成され、この吸込み格子の裏側には、エアフィルタ４３が着脱自在に取り付けられている。この前面パネル３の下端部には、前記グリル６の吹出口３０とほぼ同じ大きさの上下風向板４７を取付ける風向板開口部４４（実際にはコ字状の切欠き）が設けられ、この風向板開口部４４の両側部に側壁４５、４６が形成され、これら側壁４５、４６に軸受け４５ｆ、４６ｆが設けられている。風向板開口部４４には、吹出し空気の上下方向の向きを設定する上下風向板４７が設けられ、この上下風向板４７に固定され風向板開口部４４を横切る回動軸４８が前記軸受け４５ｆ、４６ｆに枢着される。
【００１７】
また、前記前面パネル３の風向板開口部４４の上縁には、上下風向板４７の回動軸４８を把持する支持具５０が設けられている。これら支持具５０は、略「く」の字の板状をしており、先端部には円形の孔が形成され回動軸４８を遊嵌するようになっている（図８、図９参照）。支持具５０の基部には、図７及び図９に示すように、それぞれ左右に張り出した台形状の固定部５１が形成され、この固定部５１の両側面にはそれぞれ突起片５２が形成されている。これら支持具５０は、固定部５１、５１が本体１の台座３８に対応する位置に設けられている。
【００１８】
ここで、前記前面パネル３と天面パネル５とは、一体に連結され、グリル１７の上に重ね合わされて取り付けられる。図５において、前面パネル３と天面パネル５とを重ね合わせる場合、前面パネル３を前側から両手で持ち、天面パネル５がグリル１７の天面部１７Ｃ（図４）に乗る位置まで運び、そこから前面パネル３をグリル１７側に押し込む。すると、前面パネル３の裏側に形成された一対の凸部３Ａ（図７）が、グリル１７の係止部１７Ｄ（図４）に係止され、その後、前面パネル３の下縁部をグリル１７の下端部へ嵌合させることで、前面パネル３と天面パネル５とがグリル１７へ固定される。
【００１９】
前記前面パネル３と天面パネル５とは、一体の状態で、グリル１７（本体ケース１Ａ）に対し着脱自在に取り付けられる。このとき、前面パネル３の固定部５１がグリル台座３８に挿入されて突起片５２がリブ３７ａ、３７ｂに支持されるので、前面パネル３の風向板開口部４４の上縁がグリル６の横板２５に固定される。
【００２０】
このように、支持具５０の先端部で上下風向板４７の回動軸４８を把持し、支持具５０の基部がグリル６の横板２５に固定されるので、支持具５０の基部周辺の変形をなくし、上下風向板４７の中間部の撓みをなくすことができる。
【００２１】
以上、一実施例に基づいて、本発明を説明したが、本発明はこれに限定されるものでなく、要旨を逸脱しない範囲内で変形が可能である。
【００２２】
本実施例では上下風向板４７の中間部が撓まないようにする支持具５０を２つ設けているが、１つまたは３つ以上設けても良い。
【００２３】
また、本実施例では壁掛け型室内機で説明しているが、床置き型や壁埋め型等、他のタイプの空気調和機であっても良い。
【図面の簡単な説明】
【００２４】
【図１】本発明の一実施例における空気調和機の室内機の斜視図である。
【図２】図１の室内機の側断面図である。
【図３】図１のグリルを外した状態を示す空気調和機の斜視図である。
【図４】グリルを示す斜視図である。
【図５】前面パネル及び天面パネルを示す斜視図である。
【図６】グリルの凹部拡大図である。
【図７】裏側から見た前面パネルの斜視図である。
【図８】前面パネルの上下風向板及び支持具を示す側面図である。
【図９】上下風向板の支持具を示す斜視図である。
【符号の説明】
【００２５】
１  室内機本体
３  前面パネル
４  天面パネル
５  フレーム
６  グリル
７  熱交換器
９  クロスフローファン（送風機）
１０  室内機
２０  フレーム構成体
３０  吹出口
３２  凹部
３４  左壁
３５  右壁
３７ａ、３７ｂ  リブ
３８  台座
４４  風向板開口部（風向板取付用開口部）
４７  上下風向板
４８  回動軸
５０  支持具
５１  固定部（支持具の基部）
５２  突起片
【図１】
2004219050.tif 000003
【図２】
2004219050.tif 000004
【図３】
2004219050.tif 000005
【図４】
2004219050.tif 000006
【図５】
2004219050.tif 000007
【図６】
2004219050.tif 000008
【図７】
2004219050.tif 000009
【図８】
2004219050.tif 000010
【図９】
2004219050.tif 000011